(57)【要約】【課題】種別が異なる他の遊技機島の計数機で誤って計数してしまった場合であっても適切に対応することで、遊技場及び遊技者の双方に不利益が生じることのない遊技場用管理システムを提供する。【解決手段】貸出単価の異なる他のメダル遊技機島のメダル計数機で誤って計数し、レシートを発行した場合に、メダル計数機に対して誤計数の情報を入力し、ＰＯＳでレシートを読取ったときに（Ｓ２０１：ＹＥＳ）、管理装置からの単価不一致情報を受信することにより（Ｓ２０４：ＹＥＳ）、貸出単価が間違っているメッセージを表示する（Ｓ２０５）。これにより、その時点で本来の正しい単価を適用して（Ｓ２０７）、景品選択・交換処理を適切に行うことができる（Ｓ２０８）。【選択図】図１２
2014226425.tif 000002
【特許請求の範囲】
【請求項１】
遊技に使用する遊技媒体の種類が同一であって、その遊技媒体の単価として第１単価が設定された第１遊技機及び第２単価が設定された第２遊技機と、
計数した遊技媒体の数及びその単価を特定する計数情報を記録した記録媒体を発行可能であり、計数の対象とする遊技媒体の単価として前記第１単価が設定された第１計数機及び前記第２単価が設定された第２計数機と、
前記記録媒体に記録された計数情報を読取り、その計数情報に基づいて遊技媒体を景品に交換するための景品交換処理を実行する景品交換装置と、
前記第１計数機及び第２計数機が発行した記録媒体の計数情報を管理する管理装置と、が設けられ、
前記景品交換装置は、前記景品交換処理を実行する際に、前記記録媒体に記録された計数情報と、前記管理装置が記憶している計数情報との照合処理を実行する遊技場用管理システムにおいて、
前記第１計数機で前記第２単価が設定された遊技媒体を計数したとき、あるいは前記第２計数機で前記第１単価が設定された遊技媒体を計数したときに、計数機に設定された単価と遊技媒体に設定された単価が一致しない旨を示す単価不一致情報を前記管理装置に対して入力するための入力手段を備え、
前記管理装置は、前記景品交換装置が前記照合処理を実行する際に前記入力手段により前記単価不一致情報が入力されている場合には、前記記録媒体に記録されている単価が実際の単価と一致していない旨を前記景品交換装置に対して通知し、
前記景品交換装置は、前記管理装置から前記通知を受けた場合には、前記単価が不正である旨を表示すると共に、前記記録媒体から読取った計数情報により特定される単価が第１単価であるときは第２単価に、第２単価であるときは第１単価に変更した上で前記景品交換処理を実行することを特徴とする遊技場用管理システム。
【請求項２】
前記照合処理においては、前記景品交換装置が読取った計数情報を前記管理装置へ送信し、その計数情報と、前記管理装置が記憶している計数情報とを前記管理装置が照合し、その照合結果を前記景品交換装置へ送信することを特徴とする請求項１記載の遊技場用管理システム。
【請求項３】
前記入力手段は、前記第１計数機及び前記第２計数機が備えていることを特徴とする請求項１または２記載の遊技場用管理システム。
【発明の詳細な説明】
【技術分野】
【０００１】
本発明は、遊技媒体の貸出単価として第１単価及び第２単価のうち何れかの単価を対応付けて設定可能な遊技場用管理システムに関する。
【背景技術】
【０００２】
従来の遊技場においては、例えば特許文献１に記載されているように、遊技媒体の種類が同一で貸出単価が異なる複数の遊技機島を設け、それぞれの遊技機島に専用の計数機を設置する場合が増えている。
【先行技術文献】
【特許文献】
【０００３】
【特許文献１】特開２００９−４５３６４号公報
【発明の概要】
【発明が解決しようとする課題】
【０００４】
それぞれの計数機には種別（遊技媒体の種類・単価）が設定されており、計数機から発行されたレシートで景品交換する際はその種別が参照されることになるので、必ずその遊技機島専用の計数機で計数しなければならない。
しかしながら、業務に不慣れな従業員が計数作業を行う際に、誤って他の遊技機島の計数機に遊技媒体を投入し、計数してしまうことがあった。
本発明は上記事情に鑑みてなされたもので、その目的は、種別が異なる他の遊技機島の計数機で誤って計数してしまった場合であっても適切に対応することで、遊技場及び遊技者の双方に不利益が生じることのない遊技場用管理システムを提供することにある。
【課題を解決するための手段】
【０００５】
本発明は、遊技に使用する遊技媒体の種類が同一であって、その遊技媒体の単価として第１単価が設定された第１遊技機及び第２単価が設定された第２遊技機と、計数した遊技媒体の数及びその単価を特定する計数情報を記録した記録媒体を発行可能であり、計数の対象とする遊技媒体の単価として前記第１単価が設定された第１計数機及び前記第２単価が設定された第２計数機と、前記記録媒体に記録された計数情報を読取り、その計数情報に基づいて遊技媒体を景品に交換するための景品交換処理を実行する景品交換装置と、前記第１計数機及び第２計数機が発行した記録媒体の計数情報を管理する管理装置と、が設けられ、前記景品交換装置は、前記景品交換処理を実行する際に、前記記録媒体に記録された計数情報と、前記管理装置が記憶している計数情報との照合処理を実行する遊技場用管理システムにおいて、
前記第１計数機で前記第２単価が設定された遊技媒体を計数したとき、あるいは前記第２計数機で前記第１単価が設定された遊技媒体を計数したときに、計数機に設定された単価と遊技媒体に設定された単価が一致しない旨を示す単価不一致情報を前記管理装置に対して入力するための入力手段を備え、前記管理装置は、前記景品交換装置が前記照合処理を実行する際に前記入力手段により前記単価不一致情報が入力されている場合には、前記記録媒体に記録されている単価が実際の単価と一致していない旨を前記景品交換装置に対して通知し、前記景品交換装置は、前記管理装置から前記通知を受けた場合には、前記単価が不正である旨を表示すると共に、前記記録媒体から読取った計数情報により特定される単価が第１単価であるときは第２単価に、第２単価であるときは第１単価に変更した上で前記景品交換処理を実行するものである（請求項１）。
【０００６】
請求項１記載の遊技場用管理システムにおいて、
前記照合処理においては、前記景品交換装置が読取った計数情報を前記管理装置へ送信し、その計数情報と、前記管理装置が記憶している計数情報とを前記管理装置が照合し、その照合結果を前記景品交換装置へ送信するようにしてもよい（請求項２）。
【０００７】
請求項１または２記載の遊技場用管理システムにおいて、
前記入力手段は、前記第１計数機及び前記第２計数機が備えていてもよい（請求項３）。
【発明の効果】
【０００８】
請求項１の発明によれば、設定された単価が一致しない計数機で誤って計数したことに気付いたときは、管理装置に対して単価不一致情報を予め入力しておくことにより景品交換時に記録媒体の単価が間違っている旨が表示されるので、その時点で本来の正しい単価を適用して景品交換処理を適切に行うことができる。
請求項２の発明によれば、管理装置にて計数情報を管理するので、計数情報の照合を確実に行うことができる。
【図面の簡単な説明】
【０００９】
【図１】本発明の一実施形態における遊技場用システムの全体構成を示す概略図
【図２】メダル計数機の外観斜視図
【図３】レシートを示す図
【図４】メダル計数機の構成を示す機能ブロック図
【図５】ＰＯＳの構成を示す機能ブロック図
【図６】カバーロック中画面を示す図
【図７】計数中画面を示す図
【図８】計数完了画面を示す図
【図９】種別変更画面を示す図
【図１０】レシート発行後種別変更画面を示す図
【図１１】２０円専用メダル計数機の動作を示すフローチャート
【図１２】ＰＯＳの動作を示すフローチャート
【発明を実施するための形態】
【００１０】
以下、本発明の一実施形態について図面を参照して説明する。
図１は遊技場用管理システムの全体構成を示す概略図である。遊技場内には多数の遊技機１が設置されており、各遊技機１に対応して貸出ユニット２が設置されている。これら遊技機１及び貸出ユニット２は、ＬＡＮ３及び中継端末４を介して管理装置５と接続されている。管理装置５は、遊技機側（遊技機１、貸出ユニット２等）から送信される遊技信号を受信することにより遊技機１毎の遊技データを管理すると共に会員登録された会員毎の遊技データ及び貯玉（貯メダル）も管理する。遊技場には景品交換装置（以下、ＰＯＳ）６、精算機７も設置されており、ＬＡＮ３を介して管理装置５と接続されている。ＰＯＳ６は、記録媒体により特定される遊技媒体数を読取って景品交換処理を行う。精算機７は、記録媒体により特定される入金残高分の現金を払出す。
【００１１】
遊技場には玉を遊技媒体とするパチンコ機が設置されたパチンココーナーと、メダルを遊技媒体とするスロットマシンが設置されたスロットコーナーとが設けられている。
図１では遊技機としてスロットマシンを示しており、以下、スロットコーナーについて説明する。スロットコーナーには、貸出料金が１枚２０円（第１単価に相当）のスロットマシン（第１遊技機に相当）が設置された２０円メダル遊技機島と、貸出料金が１枚５円（第２単価に相当）のスロットマシン（第２遊技機に相当）が設置された５円メダル遊技機島が設けられており、２０円メダル遊技機島には２０円専用メダル計数機８（第１計数機、入力手段に相当）が設置され、５円メダル遊技機島には５円専用メダル計数機９（第２計数機、入力手段に相当）が設置されている。
【００１２】
遊技機１は、遊技者が表示窓１０から視認可能なリール１１、有効化された入賞ラインを示す有効ライン表示部１２、液晶表示部１３、クレジットメダルの投入を行うクレジットボタン１４、クレジットメダルの精算を行う精算ボタン１５、メダルを投入するメダル投入口１６、スタートレバー１７、左ストップボタン１８、中ストップボタン１９、右ストップボタン２０、受皿２１等を備えている。
【００１３】
遊技機１は、メダルが投入（クレジット）された状態でスタートレバー１７が操作されると（ゲーム開始操作が行われると）、発生する乱数の中から１つの乱数を抽出して内部抽選を実行し、内部当選役がある場合には当該内部当選役に対応するフラグを成立させると共に、各リール１１を始動（回転）させる。この状態で各ストップボタン１８〜２０が操作されると、内部当選役のフラグに応じて各リール１１の停止位置を決定するための図示しない停止テーブルに基づいて、所謂引込制御（すべり制御）を含む停止制御（各リール１１を内部当選役フラグの種類に応じた入賞図柄又はハズレ図柄で停止表示させる制御）を実行する。引込制御は、各ストップボタン１８〜２０の操作を検出した時点から予め規定された引込範囲（最大で４図柄まで）にある図柄を入賞ライン上に引込んで停止させることが可能な制御である。尚、内部当選役フラグに対応する図柄が引込範囲内に存在しないときは、その図柄を入賞ライン上に引き込んで停止させることができないので、入賞が発生せず、所謂取りこぼしとなる。
【００１４】
貸出ユニット２は、動作状態を示す動作ランプ２２、遊技者が貨幣を投入するための貨幣投入口２３、メダルを遊技機１の受皿２１に払出す払出ノズル２４等を備えている。
図２はメダル計数機８，９の外観斜視図を示している。メダル計数機８，９は、図示しない投入容器を開放・閉鎖するスライドカバー２５（図２はスライドカバー２５が投入容器を閉鎖する閉鎖位置にスライド移動されている状態を示す）、計数情報等の各種情報を表示する表示機能及び従業員や遊技者からの操作入力を受付ける入力受付機能を有するタッチパネル式の液晶表示部２６、メダル計数機８，９の状態を示すためのＬＥＤからなる状態表示部２７、計数値及び当該計数値を記録した二次元コードやバーコード等が印字されたレシート２８（図３参照。記録媒体に相当）を発行するレシート発行口２９、従業員が所持する従業員ＩＣカード３０（図４参照）が翳されている状態で当該従業員ＩＣカード３０に内蔵されているＩＣチップ３０ａに記憶されている担当者ＩＤを読取るＩＣカードリーダ３１、緊急時にスライドカバー２５を開閉するためのスライドカバー開閉キー（図２ではカバー３２のみを示す）等を備えて構成されている。
【００１５】
メダル計数機８，９は、従業員が従業員ＩＣカード３０をＩＣカードリーダ３１に翳すことで従業員の認証操作が行われ、スライドカバー２５のロックが解除されてスライド移動されることにより投入容器が開放されると、計数可能な状態となる。従業員又は遊技者が獲得メダルを投入容器に投入すると、獲得メダルは計数センサにより計数される。このように獲得メダルを計数中にあるときは計数値を逐一更新する。
【００１６】
メダル計数機８，９は、投入されたメダルを計数し、その計数結果を記録したレシート２８を発行すると同時に計数結果を管理装置５へ送信する。メダルの投入容器はロック状態のスライドカバー２５で閉鎖されており、担当者ＩＤを読取ったときにスライドカバー２５のロックを解除して手動で開放可能とする。スライドカバー２５を閉鎖位置に戻すと自動でロックされる。
【００１７】
図４はメダル計数機８，９の構成を機能ブロックにより示している。メダル計数機８，９は、ＣＰＵ３３ａ、ＲＯＭ３３ｂ、ＲＡＭ３３ｃ、Ｉ／Ｏ３３ｄを有する制御部３３（入力手段に相当）、液晶表示部２６、当該液晶表示部２６の表面に設けられたタッチパネル３４、計数値等を印字したレシート２８をレシート発行口２９から発行するレシート発行部３５、ＩＣカードリーダ３１、状態表示部２７、スライドカバー２５を自動ロックするカバーロック部３６、メダルを計数する計数部３７、各種信号を管理装置５と送受信するＩ／Ｆ部３８等を備えて構成されている。
【００１８】
管理装置５は、遊技場内の例えば事務室等に設置されており、遊技場の管理者が操作するキーボード３９、モニタ４０、図示しないプリンタ等が接続されている。管理装置５は、遊技場内に設置された遊技機１、貸出ユニット２、ＰＯＳ６等の稼動状況を管理すると共に、遊技機側からの信号に基づいて遊技者毎の遊技価値の大きさを記憶管理する。
【００１９】
図５はＰＯＳ６の構成を機能ブロック図により示している。ＰＯＳ６は、ＣＰＵ４１ａ、ＲＯＭ４１ｂ、ＲＡＭ４１ｃ、Ｉ／Ｏ４１ｄを有した制御部４１、液晶表示部４２及び当該液晶表示部４２上に設けられたタッチパネル４３、キーボード４４、レシート２８から計数情報を読取るレシート読取部４５、保留券４６を発行する保留券発行部４７、管理装置５との通信を実行するＩ／Ｆ部４８を備えて構成されている。
【００２０】
次に上記構成の作用について説明する。
遊技者は獲得メダルをメダル計数機８，９で計数する場合は、従業員の立ち会いの下で計数する。
図１１は２０円専用メダル計数機８の動作のち、本発明に関連した動作を示すフローチャートである。尚、５円専用メダル計数機９は、以下の「２０円」を「５円」に読替えて動作するものとする。
【００２１】
２０円専用メダル計数機８は、カバーロック中画面を表示する（Ｓ１０１）。
図６に示すカバーロック中画面では、「この計数機は”２０円メダル”専用です。従業員カードをかざしてください。」というメッセージ４７ａ、「発行済みレシートの種別変更」ボタン４７ｂを表示する。
２０円専用メダル計数機８は、カバーロック中画面の表示状態では、従業員ＩＤを認証したか（Ｓ１０２：ＮＯ）、「発行済みレシートの種別変更」ボタン４７ｂがタッチ操作されたか（Ｓ１０６：ＮＯ）を判定している。従業員が従業員ＩＣカード３０をＩＣカードリーダ３１に翳すと、従業員ＩＤを読取り、従業員ＩＤを認証するので（Ｓ１０２：ＹＥＳ）、カバーロック部３６によりスライドカバー２５のロックを解除してから（Ｓ１０３）、図示しない計数待機画面を表示し（Ｓ１０４）、計数開始かを判定する（Ｓ１０５：ＮＯ）。
【００２２】
従業員が２０円専用メダル計数機８のスライドカバー２５を開放して獲得メダルを投入容器に投入すると、２０円専用メダル計数機８は、計数開始であると判定し（Ｓ１０５：ＹＥＳ）、計数中画面を表示する（Ｓ１１１）。
図７に示す計数中画面では、「この計数機は”２０円メダル”専用です。ただいま計数中です！」というメッセージ４８ａ、計数値４８ｂ、「種別変更」ボタン４８ｃを表示する。
【００２３】
２０円専用メダル計数機８は、計数中画面の表示状態では、計数処理を実行しながら（Ｓ１１２）、「種別変更」ボタン４８ｃが操作されたか（Ｓ１１３：ＮＯ）、計数終了か（Ｓ１１８：ＮＯ）を判定し、計数が終了すると（Ｓ１１８：ＹＥＳ）、計数完了画面を表示する（Ｓ１１９）。
図８に示す計数完了画面では、「計数が完了しました。確認後、レシート発行ボタンを押してください。」というメッセージ４９ａ、計数値４９ｂ、「レシート発行」ボタン４９ｃ、「計数再スタート」ボタン４９ｄ、「５円メダルに変更」ボタン４９ｅを表示する。
【００２４】
２０円専用メダル計数機８は、計数完了画面の表示状態では、「レシート発行」ボタン４９ｃが操作されるか（Ｓ１２０：ＮＯ）、「計数再スタート」ボタン４９ｄが操作されるか（Ｓ１２１：ＮＯ）を判定している。「計数再スタート」ボタン４９ｄが操作されたときは、ステップＳ１１１に移行して計数処理を再実行する。「レシート発行」ボタン４９ｃが操作されたときは（Ｓ１２０：ＹＥＳ）、レシートを発行し（Ｓ１２２）、発行情報を管理装置５へ送信し（Ｓ１２３）、発行情報をクリアする（Ｓ１２４）。管理装置５は、２０円専用メダル計数機８から受信した発行情報をレシートに対応して計数情報として記憶する。
【００２５】
図３に示すレシート２８には、遊技場名２８ａ、発行日時２８ｂ、計数結果２８ｃ、景品交換結果２８ｄ、計数誤差結果２８ｅ、遊技機番号２８ｆ、担当者ＩＤ２８ｇが印刷されていると共に、二次元コード２８ｈが印刷されている。二次元コード２８ｈには、発行日時、計数機番号、計数結果、計数誤差結果（正常／異常  誤差枚数）、担当者ＩＤ種別（単価・種類）が記録されている。
【００２６】
２０円専用メダル計数機８は、従業員が計数の終了により２０円専用メダル計数機８のスライドカバー２５を閉鎖位置にスライドすると（Ｓ１２５：ＹＥＳ）、カバーロック部３６によりスライドカバー２５をロックする（Ｓ１２６）。
【００２７】
遊技者がレシート２８を景品交換カウンタに提出すると、従業員は、ＰＯＳ６によりレシートを読取る。
図１２はＰＯＳ６の動作のうち、本発明に関連した動作を示すフローチャートである。ＰＯＳは、レシート２８の二次元コード２８ｈから計数情報を読込んだかを判定しており（Ｓ２０１：ＮＯ）、計数情報を読込んだときは（Ｓ２０１：ＹＥＳ）、読取った計数情報を表示し（Ｓ２０２）、管理装置５へ計数情報を送信することにより計数情報の照合を依頼してから（Ｓ２０３）、種別一致情報を受信したか（Ｓ２０４：ＮＯ）、照合ＯＫを受信したか（Ｓ２０９：ＮＯ）、照合ＮＧを受信したか（Ｓ２１０：ＮＯ）を判定する照合処理を実行する。
【００２８】
管理装置５は、ＰＯＳ６から受信した計数情報とレシートに対応して記憶している計数情報とを比較し、計数値及び種別（メダルの種類・単価）とを比較し、計数値の誤差が許容値内で種別が一致した場合は、照合ＯＫをＰＯＳ６に送信し、計数値の誤差が許容値以上の場合は、照合ＮＧを送信する。
【００２９】
ＰＯＳ６は、管理装置５から照合ＯＫを受信したときは（Ｓ２０９：ＹＥＳ）、景品選択・交換処理を実行する（Ｓ２０８）。つまり、交換する景品の指定入力を受付け、受付が終了したときは、景品交換情報を管理装置５へ送信する。この場合、未交換のレシートが残った状態で景品交換処理を中断するときは、保留券発行部４７により保留券４６を発行する。保留券４６は、レシート２８と同様にＰＯＳ６での景品交換処理により景品交換が可能である。管理装置５から照合ＮＧを受信したときは（Ｓ２１０：ＹＥＳ）、照合を要求する照合メッセージを表示する（Ｓ２１１）。この場合、従業員は、レシート発行時の状況を遊技者に質問する等の対応を行い、最終的に異常有りと判断したときは景品交換を一旦拒否し、監視カメラの映像を確認する等してさらに不正がないかを検討して適切に対応する。
【００３０】
さて、５円メダルは５円専用メダル計数機９で計数する必要があるものの、従業員が５円メダルを２０円専用メダル計数機８で誤って計数することがあり、誤って計数していることに気が付いたときは、図７の計数中画面中の「種別変更」ボタン４８ｃをタッチ操作する。２０円専用メダル計数機８は、計数中画面の表示状態で「種別変更」ボタン４８ｃがタッチ操作されたときは（Ｓ１１３：ＹＥＳ）、種別変更画面を表示する（Ｓ１１４）。
【００３１】
図９に示す種別変更画面では、計数中画面の「レシート発行」ボタン４９ｃ及び「計数再スタート」ボタン４９ｄに代えて「種別変更を登録します。」というメッセージ５０ａを表示すると共に、「種別変更」ボタン４８ｃに代えて「５円メダルに変更」ボタン５０ｂ、「キャンセル」ボタン５０ｃを表示する。
【００３２】
２０円専用メダル計数機８は、種別変更画面の表示状態では、「５円メダルに変更」ボタン５０ｂが操作されるか（Ｓ１１５：ＮＯ）、「キャンセル」ボタン５０ｃが操作されるか（Ｓ１１７：ＮＯ）を判定している。「キャンセル」ボタン５０ｃがタッチ操作されたときは（Ｓ１１７：ＹＥＳ）、計数中画面の表示状態に戻るが（Ｓ１１１）、「５円メダルに変更」ボタン５０ｂがタッチ操作されたときは（Ｓ１１５：ＹＥＳ）、管理装置５へ５円メダルに変更したことを示す種別変更情報を送信する（Ｓ１１６）。管理装置５では、２０円専用メダル計数機８から受信した種別変更情報を記憶し、発行済みのレシート２８に対応して記憶している計数情報の種別を変更する。つまり、計数情報は種別として２０円メダルを示しているので、種別変更情報により種別を５円メダルに変更するのである。尚、２０円専用メダル計数機８は、レシート２８を発行する際は、レシート２８に発行情報に種別変更情報を含んで発行する。従って、遊技者がレシート２８を提出してＰＯＳ６にて景品交換処理を実行すると、発行情報及び種別変更情報に基づいて景品交換処理が行われるので、獲得した５円メダルを景品に交換することができる。
【００３３】
一方、従業員がメダルを計数してレシート２８の発行後に５円メダルを２０円専用メダル計数機８で計数したことに気が付いた場合は、図６のカバーロック中画面の「発行済みレシートの種別変更」ボタン４７ｂをタッチ操作する。すると、２０円専用メダル計数機８は、それに応じて（Ｓ１０６：ＹＥＳ）、レシート発行後種別変更画面を表示する（Ｓ１０７）。
図１０に示すレシート発行後種別変更画面では、「種別を変更するレコードを選択してください。」というメッセージ５１ａ、レシートの発行履歴一覧５１ｂ、「５円メダルに変更」ボタン５１ｃを表示する。
【００３４】
２０円専用メダル計数機８は、レシート発行後種別変更画面の表示状態では、レコードが選択されたかを判定しており（Ｓ１０８：ＮＯ）、変更対象のレシートが選択された状態で（Ｓ１０８：ＹＥＳ）、「５円メダルに変更」ボタン５０ｂがタッチ操作されたときは（Ｓ１０９：ＹＥＳ）、管理装置５へ種別変更情報（単価不一致情報に相当）を送信する（Ｓ１１０）。管理装置５は、２０円専用メダル計数機８から受信した種別変更情報をレシート２８の発行情報に対応して記憶する。そして、従業員がＰＯＳ６にて遊技者が提出したレシート２８（種別として２０円メダルが記録されている）を読取ると、ＰＯＳ６から管理装置５へ計数情報が送信される。ここで、管理装置５は、計数情報と発行情報とを照合した際に、レシート２８に対応して種別変更情報が記憶されていることから、単価不一致情報をＰＯＳ６に送信する。
【００３５】
ＰＯＳ６は、管理装置５から単価不一致情報を受信したときは（Ｓ２０４：ＹＥＳ）、単価が不正である旨を表示すると共に正しい種別の選択肢を表示してから（Ｓ２０５）、確認入力有りかを判定する（Ｓ２０６：ＮＯ）。この場合、従業員は、遊技者に種別が違っていることを確認し、不正がないことを確認した上で種別変更の処理を行う。種別変更の処理は、ＰＯＳ画面に表示された正しい種別を確認入力することにより行う。ＰＯＳ６は、確認入力が有ったときは（Ｓ２０６：ＹＥＳ）、計数情報の種別を変更してから（Ｓ２０７）、通常の景品選択・交換処理を実行する（Ｓ２０８）。つまり、５円メダルを２０円専用メダル計数機８で誤って計数したことを確認したことから、メダルの種別を５円メダルに変更した状態で景品選択・交換処理を実行する。
【００３６】
このような実施形態によれば、次のような効果を奏することができる。
貸出単価の異なる他のメダル遊技機島のメダル計数機８，９で誤って計数し、レシート２８を発行した場合に、メダル計数機８，９に対して誤計数の情報を入力し、ＰＯＳ６でレシート２８を読取ったときに貸出単価が間違っているメッセージを表示するようにしたので、その時点で本来の正しい単価を適用して景品選択・交換処理を適切に行うことができる。
管理装置５にて計数情報を管理するので、計数情報の照合を確実に行うことができる。
【００３７】
（その他の実施形態）
本発明は、上記実施形態に限定されることなく、次のように変形または拡張したり、各変形例を上記実施形態と組合せたり、各変形例を組合せるようにしてもよい。
遊技機としてスロットマシン、遊技媒体としてメダルを例示したが、これに限定されず、遊技媒体として遊技球を用いるスロットマシンやパチンコ遊技機に適用することもできる。
遊技媒体の貸出単価は任意に設定することができる。
計数機の投入容器に投入を防止するためのスライドカバー２５を設けたが、スライドカバー２５は無くてもよい。
【符号の説明】
【００３８】
図面中、１はスロットマシン（第１遊技機、第２遊技機）、５は管理装置、６は景品交換装置、８は２０円専用メダル計数機（第１計数機、入力手段）、９は５円専用メダル計数機（第２計数機、入力手段）、２８はレシート（記録媒体）である。
【図１】
2014226425.tif 000003
【図２】
2014226425.tif 000004
【図３】
2014226425.tif 000005
【図４】
2014226425.tif 000006
【図５】
2014226425.tif 000007
【図６】
2014226425.tif 000008
【図７】
2014226425.tif 000009
【図８】
2014226425.tif 000010
【図９】
2014226425.tif 000011
【図１０】
2014226425.tif 000012
【図１１】
2014226425.tif 000013
【図１２】
2014226425.tif 000014